(57)【要約】【課題】上下風向変更羽根の着脱が容易に行える空気調和機の提供。【解決手段】吹出し口３に装着した上下風向変更羽根８を両側部と略中央の三点で支持するに際し、上下風向変更羽根８もしくは吹出し口３のいずれかの左右両側部に設けた軸２１、２２、２３のうち、一方の軸２３の軸受部材１６は上下羽根に対しスライド自在とするとともに、略中央部に設けた軸２３はその長さを両側部の軸の長さより長くなるようにしてある。これにより、略中央の軸を略中央の軸受孔に嵌合させ上下風向変更羽根を仮保持させた状態で両側部の軸の軸受孔への嵌合作業を行うことができ、簡単に着脱できる。【選択図】図４
2016075458.tif 000002
【特許請求の範囲】
【請求項１】
本体と、前記本体内に設けた送風ファンと、前記送風ファンからの風を吹出す吹出し口と、前記吹出し口に装着した上下風向変更羽根とを備え、前記上下風向変更羽根は前記吹出し口の左右両側部と略中央部とに、軸、または、前記吹出し口に設けられた軸が挿入される軸受孔を有し、前記上下風向変更羽根または前記吹出し口のいずれかの両側部に設けた軸のうち、一方の軸は前記上下風向変更羽根に対しスライド自在とし、略中央部に設ける軸はその長さを両側部の軸の長さより長くした空気調和機。
【発明の詳細な説明】
【技術分野】
【０００１】
本発明は空気調和機、特にその上下風向変更羽根の支持構成に関するものである。
【背景技術】
【０００２】
一般に空気調和機は、本体の吹出し口に風の向きを上下に変更する上下風向変更羽根が設けてある。この上下風向変更羽根はその両端に設けた軸を吹出し口の両側部の軸受孔に挿通させて装着してあるが、本体が大型で幅の広い空気調和機にあっては、上下風向変更羽根の略中央部分にも軸を設けて吹出し口の略中央部分でも軸支するようになっている（例えば、特許文献１参照）。
【０００３】
図１０は特許文献１記載の空気調和機を示し、この空気調和機は本体１０１の吹出し口１０２に装着する上下風向変更羽根１０３の略中央部にも中央軸１０４を設け、この中央軸１０４を吹出し口１０２の略中央部に設けた軸受部材１０５の軸受孔１０６に挿通させるとともに、上下風向変更羽根１０３の両端に設けられた左右の軸１０７、１０８を吹出し口１０２の両側部の軸受孔１０９に挿通させて、三点で軸支してある。そして、上記中央軸１０４と、左右軸１０７、１０８のうちの一方、図の例では左の軸１０７とは、上下風向変更羽根１０３に対し矢印ａのように左方向へスライド自在に構成してあり、これらの各軸１０４、１０７をスライドさせながら吹出し口１０２の軸受孔１０９へ挿通させて上下風向変更羽根１０３を吹出し口１０２に装着してある。
【先行技術文献】
【特許文献】
【０００４】
【特許文献１】特開２００２−７１２０６号公報
【発明の概要】
【発明が解決しようとする課題】
【０００５】
上記従来の三点で支持する上下風向変更羽根１０３を備えた空気調和機は、一方端の固定軸１０８を吹出し口１０２の軸受孔（図示せず）に挿入した後、他端側を手で持ちながら中央軸１０４と左軸１０７をスライドさせて軸受孔１０６、１０９に挿入する必要があり、その着脱作業が困難であるという課題があった。
【０００６】
すなわち、上下羽根１０３を装着する際、まず一端側の固定軸１０８を吹出し口１０２の軸受孔（図示せず）に挿入し、この状態で上下羽根１０３の他端部を手で支持しながら中央軸１０４と他端側の左軸１０７を吹出し口１０２の軸受孔１０５と１０９に挿通させるべくスライドさせなければならず、軽量化されているとはいうものの上下羽根１０３の重量を片手で支持しつつ他方の手で軸１０４，１０７をスライドさせていく作業を行う必要があるため、上下風向変更羽根１０３の着脱が非常に困難なものとなるのであった。
【０００７】
本発明はこのような点に鑑みてなしたもので、上下風向変更羽根の着脱が容易に行える空気調和機の提供を目的としたものである。
【課題を解決するための手段】
【０００８】
本発明は上記目的を達成するため、上下風向変更羽根もしくは吹出し口のいずれかの略中央部に設けた軸はその長さを両側部の軸の長さより長くする構成としてある。
【０００９】
これにより、略中央部の軸を略中央部の軸受孔に挿通させて上下風向変更羽根を仮保持させた状態で両側部の軸を両側部の軸受孔に嵌合させることができる。したがって、上下
羽根を片手で支持することなく両側部の軸の着脱が行えるようになり、その着脱性が大きく向上する。
【発明の効果】
【００１０】
本発明は、上記構成によって、上下風向変更羽根の着脱が容易にでき、メンテナンス性の良い空気調和機を提供することができる。
【図面の簡単な説明】
【００１１】
【図１】本発明の実施の形態１における空気調和機の外観斜視図
【図２】同実施の形態１における空気調和機の断面図
【図３】（ａ）同実施の形態１における空気調和機の上羽根の裏面図、（ｂ）同裏側斜視図
【図４】（ａ）（ｂ）（ｃ）同実施の形態１における空気調和機の上羽根の両側及び略中央の軸支部分の斜視図
【図５】同実施の形態１における空気調和機の上羽根の一端側の軸支部分を示す拡大斜視図
【図６】（ａ）〜（ｄ）同実施の形態１における空気調和機の上羽根の装着手順を示す説明図
【図７】（ａ）同実施の形態１における空気調和機の下羽根の裏面図、（ｂ）同裏側斜視図
【図８】（ａ）（ｂ）（ｃ）同実施の形態２における空気調和機の下羽根の両側及び略中央の軸支部分の斜視図
【図９】同実施の形態２における空気調和機の下羽根の一端側の軸支部分を示す拡大斜視図
【図１０】従来の空気調和機の外観及び軸支部分の斜視図
【発明を実施するための形態】
【００１２】
第１の発明は、本体と、前記本体内に設けた送風ファンと、前記送風ファンからの風を吹出す吹出し口と、前記吹出し口に装着した上下風向変更羽根とを備え、前記上下風向変更羽根は前記吹出し口の左右両側部と略中央部とに、軸、または、前記吹出し口に設けられた軸が挿入される軸受孔を有し、前記上下風向変更羽根または前記吹出し口のいずれかの両側部に設けた軸のうち、一方の軸は前記上下風向変更羽根に対しスライド自在とし、略中央部に設ける軸はその長さを両側部の軸の長さより長くした構成としてある。
【００１３】
これにより、略中央部の軸を略中央部の軸受孔に挿通させて上下風向変更羽根を仮保持させた状態で両側部の軸を両側部の軸受孔に嵌合させることができる。したがって、上下羽根を片手で支持することなく両側部の軸の着脱が行えるようになり、その着脱性が大きく向上する。すなわち、略中央部の軸の軸受孔への挿通による仮保持によって、その後に行う作業、すなわち、上下羽根を移動させながら略中央及び他方端の軸をスライドさせて軸受孔に嵌合させる作業を、上下羽根の重量をほとんど感じることなく容易に行え、その着脱性は大きく向上する。
【００１４】
以下、本発明の実施の形態について、図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００１５】
（実施の形態１）
この実施の形態１で示す空気調和機は、室内機と室外機とが冷媒配管及び制御用配線等により互いに接続して構成され、室外機には圧縮機が設けられている。
【００１６】
図１及び図２はこの空気調和機の室内機の全体構成を示し、室内機の外観を構成する本体１は、図２に示すように、空気を吸い込む吸い込み口２と、熱交換された空気を吹き出す吹出し口３とを備えている。吸い込み口２は、本体１の天面部分の吸い込み開口２ａに本体前面の開口部分２ｂを合わせた形となっている。また、本体１は、本体１の前面を覆う前面パネル４を備えており、この前面パネル４はその上端の軸支部を中心に下端部が上向きに回動して開くようになっている。
【００１７】
本体１の内部には、室内空気に含まれる塵埃を補足するためのフィルタ５と、取り入れた室内空気を熱交換する熱交換器６と、吸い込み口２からフィルタ５を通して取り入れた室内空気を熱交換器６で熱交換して吹出し口３から室内に吹き出すための貫流式の送風ファン７とが設けられている。
【００１８】
吹出し口３には、当該吹出し口３を開閉するとともに、空気の吹き出し方向を上下方向に変更することができる上下風向変更羽根（以下、上下羽根と称す）８が設けられている。上下羽根８は、上羽根８ａと、この上羽根８ａの下方に設けられた下羽根８ｂとを備えている。上羽根８ａ、下羽根８ｂはそれぞれ、左右両端のいずれかの回転軸において、ステッピングモータ等からなる駆動モータの回転軸に連結されている（図示せず）。そして、この駆動モータの動作により、上羽根８ａ、下羽根８ｂは、それぞれ上下方向に回動する。
【００１９】
また、送風ファン７の下流側から吹出し口３の上流側に至る通風路９には、空気の吹き出し方向を左右に変更することができる複数枚の左右羽根１０が設けられている。複数枚の左右羽根１０は、羽根の動きを連動させる連結桟により連結されている。連結桟はステッピングモータ等からなる駆動モータの回転軸に連結されている（図示せず）。そして、この駆動モータの動作により、複数枚の左右羽根１０は、それぞれ左右方向に回動する。
【００２０】
また、前記本体１の天面と前面パネル４とフィルタ５との間には電装ユニット１１が配置してある。この電装ユニット１１は本体１を構成する台枠の一部を利用して装着してあり、前記送風ファン７、上下羽根８、左右羽根１０、圧縮機等を制御して当該空気調和機の運転を制御する制御装置となっている。
【００２１】
また、本体１は、吹出し口３の上方であって前方側に、表示部１２が設けられている。表示部１２は前面パネル４の下端より下方に位置して露出している。表示部１２は内部に基板を備えており、本体１の稼働状況を表示したり、リモコンからの電波を受信したりするものである。表示部１２に用いられる電気部品が配置された基板は、カバー部材１３の背面側に保持されている。
【００２２】
次に上下羽根８の支持構成について説明する。まず、上羽根８ａの支持構成について、図３〜図６を用いて説明する。図３（ａ）は上羽根８ａの裏面図であり、（ｂ）は同裏側斜視図である。図４（ａ）は、上羽根８ａの左側部の軸支部分の斜視図であり、（ｂ）は、略中央の軸支部分の斜視図であり、（ｃ）は右側部の軸支部分の斜視図である。図５は、上羽根８ａの右側の軸支部分を示す拡大斜視図である。
【００２３】
なお、本明細書においては、本体１に向かって左側を左側として説明する。また、本体１の前面パネル４が設けられた側を前方とし、本体１が壁に設置される際に壁側を後方として説明する。また、上下羽根８が吹出し口３を閉じた状態で、上下羽根８が本体１の一部として露出する側を表面側、通風路９に面する側を裏面側として説明する。
【００２４】
図３〜図６において、上羽根８ａの両側部には軸受孔１４、１４（図４参照）を有する
軸受部材１５、１６が設けてある。軸受部材１５、１６は、上羽根８ａの裏面側から突出する突出部の端部に設けられている。軸受部材１５は突出部から左側に突出するように設けられているが、上羽根８ａの左端より突出することはない。軸受部材１６は突出部から右側に突出するように設けられているが、上羽根８ａの右端より突出することはない。
【００２５】
軸受部材１５、１６のうちの一方、図示の例では右側の軸受部材１６は、図５に示すように、突出部を上羽根８ａの軸線方向に形成したガイド１７に嵌め合わせて、上羽根８ａの長手方向（矢印の方向）にスライド自在としてある。ガイド１７内には、後述する軸２２を軸受部材１６に挿入させた状態で、突出部を保持するロック１８が設けられている。
【００２６】
また、上羽根８ａの略中央部分には軸受孔１９（図４参照）を有する軸受部材２０が設けてある。軸受部材２０は軸受部材１５、１６を保持する突出部と略同等の形状で、上羽根８ａの裏面側から突出している。軸受部材２０は軸受部材１５、１６と異なり、左右側に突出することのない軸受孔１９を備えている。軸受部材２０は軸受部材１５の突出部と同様に上羽根８ａに一体化してある。
【００２７】
一方、吹出し口３の両側部には図４に示すように軸２１、２２が設けてあり、そのうちの一方、この例では右側の軸２２は前記駆動モータの回転軸となっている。さらに、前記吹出し口３の略中央部分には吹出し口３の上方から下方に向けて突出するアーム部材２４が装着してある。軸２３はアーム部材２４の先端部分から右側に突出するように設けられている。
【００２８】
そして、各軸２１、２２、２３は上羽根８ａの軸受部材１５，１６、２０の軸受孔１４、１４、１９に嵌合し、上羽根８ａを回動自在に支持している。
【００２９】
次に、上記のように構成された上羽根８ａの支持構成による作用効果について、説明する。
【００３０】
上羽根８ａは、図６の（ａ）に示すように、まずその略中央部の軸受部材２０の軸受孔１９を吹出し口３略中央部に設けてあるアーム部材２４の軸２３に位置合わせする。そして、同図（ｂ）の矢印で示すように上羽根８ａを左側に移動させてその軸受部材２０の軸受孔１９をアーム部材２４の軸２３に挿入する。これによって、上羽根８ａはこの略中央の軸２３によって仮保持される状態となる。
【００３１】
次に、同図（ｃ）に示すように、更に上羽根８ａを左側に移動させてその一方端、この例では左側の軸受部材１５の軸受孔１４を吹出し口３左側の軸２１に挿入する。その後、同図（ｄ）に示すように右側の軸受部材１６を右側にスライドさせてその軸受孔１４を吹出し口３の右側の軸２２に嵌合させれば、吹出し口３への上羽根８ａの装着を終える。
【００３２】
また、吹出し口３から上羽根８ａを外す時には前記と逆の操作をすればよい。
【００３３】
以上の様にこの上下羽根８の支持構成によれば、略中央部の軸２３が両側部の軸２１、２２、特に左側の軸２１より長く形成されているので、最初にこの略中央の軸２３に上羽根８ａの略中央に設けた軸受部材２０の軸受孔１９を嵌合させれば、当該略中央の軸２３で上羽根８ａを仮保持させることができる。特に、略中央部の軸２３が左側の軸２１より長く形成されているので、上羽根８ａの略中央を仮保持できるので、左側の軸２１を略中央部の軸２３より長く形成する場合に比べて、左右方向に長い上羽根８ａをバランスよく安定して保持することができる。
【００３４】
したがって、その後の作業を行うに際し上羽根８ａを片手で支持してその重量を感じな
がら両側部の軸受部材１５、１６の嵌合作業を行う必要はなくなり、作業性が向上する。
【００３５】
すなわち、上羽根８ａの略中央に設けた軸受部材２０の軸受孔１９を吹出し口３の略中央部に設けた軸２３に嵌合させたのちに、上羽根８ａの左側の軸受部材１５に設けた軸受孔１４を吹出し口３の左側に設けた軸２１に嵌合させるべく上羽根８ａを左側に移動させるが、その際、すでに上羽根８ａが前記したように略中央部の軸２３によって仮保持されているので、作業者は上羽根８ａに軽く手を添えて軸受部材１５の軸受孔１４を吹出し口３の左側に設けた軸２１に位置合わせして上羽根８ａを移動させればよく、極めて楽な状態でこれを行うことができる。
【００３６】
また、最後に行うことになる作業、すなわち上羽根８ａの右側に設けた軸受部材１６の軸受孔１４を吹出し口３の右側に設けた軸２２に嵌合させるべく右側へとスライドさせる作業も、この時にはすでに上羽根８ａの略中央部と左側の二点が支持された状態となっているので、軸受孔１４と軸２２との位置合わせも必要としなく、しかもただ単に上羽根８ａが動かないようにこれを持って前記軸受部材１６を軸２２側にスライドさせて当該軸２２に嵌合させればよく、その作業も上羽根８ａの重量を感じつつこれを支えるというものではないので容易に行えることになる。
【００３７】
また、軸受部材１５、１６は、上羽根８ａから突出する突出部からさらに左右方向に突出しているため、その位置を目視により容易に確認でき、より着脱が容易となる。また、軸受部材２０は左右方向に突出することなく軸受孔１９を備えているので、最初に他の軸より長い軸である軸２３を軸受孔１９に嵌合させるのが容易である。
【００３８】
次に、下羽根８ｂの支持構成について、図７〜図９を用いて説明する。図７（ａ）は下羽根８ｂの裏面図であり、（ｂ）は同裏側斜視図である。図８（ａ）は、下羽根８ｂの左側部の軸支部分の斜視図であり、（ｂ）は、略中央の軸支部分の斜視図であり、（ｃ）は右側部の軸支部分の斜視図である。図９は、下羽根８ｂの右側の軸支部分を示す拡大斜視図である。
【００３９】
下羽根８ｂの支持構成は上羽根８ａの支持構成と同様である部分は、同一番号を附記して説明は省略し、異なる部分のみを以下に説明する。
【００４０】
図７〜図９において、下羽根８ｂは左右両端の後方に切欠部が設けられており、前方の長手方向の長さが後方の長手方向の長さより長い、略Ｔ字状の形状となっている。軸受部材１５は、下羽根８ｂの左端後方の切欠部の側面から左側に突出して設けられているが、下羽根８ｂの前方の左端より突出することはない。軸受部材１６は、下羽根８ｂの右端後方の切欠部の側面から右側に突出して設けられているが、下羽根８ｂの前方の右端より突出することはない。
【００４１】
また、下羽根８ｂの略中央部分には凹部が設けられており、凹部の右側面が軸受孔１９（図８参照）を有し、軸受部材２０となっている。つまり、軸受部材２０は軸受部材１５、１６と異なり、左右側に突出することのない軸受孔１９を備えている。
【００４２】
上記のように構成された下羽根８ｂは、上述の上羽根８ａと同様に容易に着脱が可能である。また、軸受部材１５、１６は、下羽根８ｂの切欠部から左右方向に突出しているため、その位置を目視により容易に確認でき、より着脱が容易となる。また、軸受部材２０は左右方向に突出することなく軸受孔１９を備えているので、最初に他の軸より長い軸である軸２３を軸受孔１９に嵌合させるのが容易である。
【００４３】
なお、本実施の形態では、上下羽根８に軸受孔を設け、吹出し口３に軸を設ける構成と
したが、左右両端部と略中央部の一部もしくはその全部を逆の関係にして設けてもよい。例えば、左右両側部と略中央部のすべてで、上下羽根８に軸を設け、吹出し口３に軸受孔を設ける構成としてもよく、このような構成においても同様の作用効果が得られ、上羽根８ａの着脱が容易に行える。ただし、突出しておりその位置を確認し易い軸より、その位置を確認しにくい軸受孔を、取り付ける側である上下羽根８に設けたほうが、脱着する際に、軸受孔の位置をより容易に確認できるため、より着脱が容易となり望ましい。
【産業上の利用可能性】
【００４４】
以上のように本発明は、上下風向変更羽根の着脱が容易になって、メンテナンス性の良い空気調和機を提供することができ、一般用はもちろん業務用の空気調和装置等に幅広く適用できる。
【符号の説明】
【００４５】
１  本体
２  吸い込み口
３  吹出し口
４  前面パネル
５  フィルタ
６  熱交換器
７  送風ファン
８  上下羽根（上下風向変更羽根）
８ａ  上羽根（上下風向変更羽根）
８ｂ  下羽根（上下風向変更羽根）
９  通風路
１０  左右羽根
１１  電装ユニット
１２  表示部
１３  カバー部材
１４  軸受孔（両側部の軸受孔）
１５、１６  軸受部材（両側部の軸受部材）
１７  ガイド
１８  ロック
１９  軸受孔（略中央部の軸受孔）
２０  軸受部材（略中央部の軸受部材）
２１、２２  軸（両側部の軸）
２３  軸（略中央部の軸）
２４  アーム部材
【図１】
2016075458.tif 000003
【図２】
2016075458.tif 000004
【図３】
2016075458.tif 000005
【図４】
2016075458.tif 000006
【図５】
2016075458.tif 000007
【図６】
2016075458.tif 000008
【図７】
2016075458.tif 000009
【図８】
2016075458.tif 000010
【図９】
2016075458.tif 000011
【図１０】
2016075458.tif 000012